(57)【要約】      （修正有）【課題】花卉類等を生けたり飾り物、菓子類を載置する陶製ボウルにおいて、ボウル内に水を張っても花卉類等が転倒しないよう安定して生けること、および他の飾り物も安定して載置可能とし、何も生けたり載置しなくとも質の高い陶製七宝付ボウルを提供する。【解決手段】粘土材のボウル１の底部上面にボウルと同じ粘土材から形成する七宝３の底部を載着させる。七宝上面４はほぼ水平面を確保しかつ七宝周辺をボウル側曲面５が囲む形状とする。乾燥後、ボウル１と七宝３が一体となるよう焼成する。【選択図】図３
0003184219.tif 000002
【実用新案登録請求の範囲】
【請求項１】
粘土材のボウル（１）において、ボウル底部上面（２）に粘土材のボウル（１）と同じ粘土材から形成する七宝（３）の底部が載着し、七宝上面（４）はほぼ水平面を確保しかつ七宝周辺をボウル側曲面（５）が囲む形状を有するボウル（１）と七宝（３）が一体となる焼成の陶製七宝付ボウル
【考案の詳細な説明】
【技術分野】
【０００１】  本考案は花卉類等を生け花等として飾り立てる支持台、又は花卉類等以外の飾り物、菓子類の入れ物としての機能及び鑑賞用ボウルに関するものである。
【背景技術】
【０００２】  花卉類等を生け花等として飾る場合、花瓶を用いることが多いが、別の鑑賞形態として花卉類の下方まで全体を鑑賞させようと剣山や七宝等を支持台としてその上に花卉を立てる方法も広範に普及している。【０００３】  また花瓶のように下部に水を張り花卉類の新鮮さを保ちかつ剣山や七宝のバランス、安定性を図るため、剣山や七宝の下に水を張った器を敷設する方法も従来技術として存在する。【０００４】  ところで剣山や七宝は花卉類１本１本独立して生けることができ、花瓶とは異なる花卉類鑑賞形態を創造することが可能だが、花瓶の側壁のように花卉類を支える一定程度の高さを有するものは剣山や七宝では困難であり、花卉類の本数が増えるとバランスを崩し花卉類だけではなく剣山や七宝自体も倒れてしまう危険性がある。【０００５】  本考案は花卉類鑑賞形態の拡大、転倒の危険性の無い安定した花卉類の生け方の確保及びボウルのみでも十分に鑑賞に値する江戸初期に始まる飛騨の伝統的窯元である小糸焼としての美術工芸品を提供するものである。
【考案の開示】
【考案が解決しようとする課題】
【０００６】  剣山や七宝を用いた花卉類の生け方は、花瓶に差す花卉類とは別の趣を有する鑑賞形態を生み出すことができるが、以下のような課題も生じている。【０００７】  まず剣山を用いた生け方は、花卉類の茎下端部に剣山の針部を差さなければならず花卉類自体を傷めてしまう危険性が生じる。【０００８】  次に剣山や七宝に花卉類の茎部を差しこむ生け方では、花瓶に生けた場合と比較して生けられた花卉類のバランスが不安定であり、一定量の花卉類を生けるとその重量バランスを保つことができず剣山や七宝もろとも転倒する危険性が生じ、鑑賞形態をなす花卉類の生け方に制約が生じてしまう。【０００９】  しかも花卉類の多くが水分を必要とし剣山や七宝の位置に水を張らなくてはならないため、剣山や七宝を載置しかつ水を張るべく外側の器が必要となる。ところが器に水を注入するとその水中に位置する剣山や七宝には浮力が生じかつ液体の流動現象により剣山や七宝自体有する重量の安定度が損なわれ、花卉類とともに剣山や七宝が転倒する危険性が増加することになる。【００１０】  また美的外観上、剣山や七宝と水を張る器との組み合わせも必要であり統一感の取れた全体的鑑賞形態を提供することも容易なことではない。【００１１】  本考案の目的は上記で示した従来技術の課題に対し、花卉類を傷つけることなく安定した創造性の広がりを有する生け花を可能としかつ器自体も十分に美術工芸品として優れた陶製七宝付ボウルを提供することである。
【課題を解決するための手段】
【００１２】  本考案は花卉の茎部下端部を針状の尖端に差し込むことで花卉類を支持する剣山は使用せず、茎部を挿入して花卉類を支えるべく七宝を茎部支持台として用いるため、茎部を傷つけることはない。【００１３】  七宝の課題としては、花卉類を支持するべく七宝を用いる際七宝の下部に水を張るべく器を敷置することが多いが、七宝と器は分離しているため器に水を張ると七宝には浮力が生じかつ水の流動現象で花卉類を上部に有する七宝自体がより不安定となり横倒し等転倒する危険性が生じることである。【００１４】  そこで本考案では七宝を小糸焼陶製とし、同じく小糸焼陶製ボウルの上に七宝を接着させ、七宝とボウルを一体化することでボウル内に水を張って花卉類を生けたとしても転倒することなく安定性を確保すべく質感の高い陶製工芸品を提供することを目的とするものである。【００１５】  まず粘土を材とし、ロクロで手作りボウル及び七宝を成型する。次に生乾きの段階でボウルの上面に粘土を介して七宝とボウルの両者を接着させた後乾燥させる。【００１６】  約７００℃で素焼きして、釉薬を塗り、１２２０℃で焼成して伝統的な小糸焼の陶製七宝付ボウルが完成する。【００１７】  つまり本考案では七宝とボウルを一体型にすることでボウルに水を張ったとしても重量バランスは崩されること無く、むしろ水が注入されることで下部が重くなりその結果重心の位置も低位に移りますます安定することになる。【００１８】  上記の如く、本考案は上記の課題を解決することができる優れた機能を有しかつ美術的工芸品としての価値を有する陶製七宝付ボウルである。
【考案の効果】
【００１９】  先ず本考案は花卉類の茎部下端部を針状の尖端に差し込むことで花卉類を支持する剣山は使用せず、茎部支持台として七宝を用いることにより茎部を傷つけることはないので、生けた花卉類がみずみずしい状態を長期的に確保することができる。【００２０】  次に本考案の七宝及びボウルは材料として同じ粘土を用いてロクロ手作りで成型した後同じ粘土を介して七宝とボウルを接着させ、素焼き、釉薬、焼成と小糸焼の伝統的な陶製品であり、七宝付ボウルの一体型の陶製品であるため、ボウルに水を注入し七宝に花卉類を生けた状態での重力バランスは、水を注入した分だけ下部に位置するボウルの重量が増し更に重心もより低位に位置するためより安定感がまし、安心して創造的な生け花、飾り付けが可能となる。【００２１】  また本考案の七宝の上面はほぼ水平状に形成され、その上面に菓子等載置可能であり、紙等を載置し紙の上に菓子等載置することも可能であり、上品な菓子等ボウルとして利用できる機能を有している。【００２２】  即ち本考案は、江戸初期から始まる飛騨の伝統的窯元である小糸焼陶器であり、花卉類等生け花、飾り付けしなくとも質感の高い美的な陶器として存在し、ボウル内に載着する七宝もボウルと一体感をなす重要部材であり、花卉類及び他の装飾品を安定的に支える機能を有する以外にもボウルとしての食品利用等多目的な利用もまた十分に可能である。【００２３】  以上の如く本考案では花卉類等を安定的かつ創造的に生けることができかつ花卉類以外の物品でも飾り付けができ、更には食品等の入れ物としてのボウル自体の利用等極めて多目的な利用が可能なボウルであり、又は小糸焼としての質の高い陶製の有する鑑賞用ボウルとしての価値も十分に有する陶製七宝付ボウルを提供するものである。
【図面の簡単な説明】
【００２４】
【図１】  本考案の実施の１例に基づく陶製ボウルの斜視図
【図２】  本考案の実施の１例に基づく陶製七宝の斜視図
【図３】  本考案の実施の１例に基づく陶製ボウルと陶製七宝を合わせて焼成した陶製七宝付ボウル斜視図
【考案を実施するための形態】
【実施例】
【００２５】  本考案は粘土を材とし、先ずロクロ手作りにて、花卉類や飾り付け具の支持台としての機能を有する七宝（３）と、底部上面に七宝が載置可能なスペースを有するボウル（１）を形成する。【００２６】  次に、生乾きの段階で粘土を介してボウル底部上面（２）に七宝（３）の底部を載着し乾燥させる。【００２７】  最後に、約７００℃で素焼きして釉薬を塗り、１２２０℃で焼成することで伝統的な小糸焼である陶製七宝付ボウルが完成する。【００２８】  即ち、本考案は陶製のボウル底部上面（２）に同じ粘土材から形成した陶製の七宝（３）が載着しており、七宝上面（４）はほぼ水平状態を確保し、かつ七宝（４）周辺をボウル側曲面（５）にて囲む形状を有する陶製七宝付ボウルを提供するものである。
【符号の説明】
【００２９】１  ボウル
２  ボウル底部上面
３  七宝
４  七宝上面
５  ボウル側曲面
【図１】
0003184219.tif 000003
【図２】
0003184219.tif 000004
【図３】
0003184219.tif 000005